(57)【要約】【課題】海底の砂に埋まった場合にも、脚部を伸ばすことにより常に砂から露出した状態に保持することができると共に、海底の深い場所にも設置でき、魚礁としても有効な藻場造成用ブロックを提供するものである。【解決手段】コンクリートブロック７の表面に、凹凸部１０を形成し、前記コンクリートブロック７の上面から底面に向かって貫通する貫通孔１１を開孔すると共に、４本の鞘パイプ８を、その上部がブロック上面から突出するように貫通させ、この鞘パイプ８の内側にパイプで形成された脚部１４を上下動自在に貫通させ、前記鞘パイプ８の上部側に脚１４を固定ピン１７で固定して、脚部１４をブロック底面から所定の長さに突出させるようにしたものである。【選択図】  図１
2006191847.tif 000002
【特許請求の範囲】
【請求項１】
コンクリートブロックの表面に、凹凸部を形成し、前記コンクリートブロックの上面から底面に向かって貫通する３本以上の鞘パイプを、その上部がブロック上面から突出するように貫通させ、この鞘パイプの内側にパイプで形成された脚部を上下動自在に貫通させ、前記鞘パイプの上部側に脚固定部を設けて、ここにブロック底面から所定の長さに突出した状態で脚部を固定するように形成したことを特徴とする藻場造成用ブロック。
【請求項２】
コンクリートブロックに、その上面から底面に向かって貫通する複数個の貫通孔を開孔してブロック表面積を拡大すると共に、貫通孔に海水が流入するようにしたことを特徴とする請求項１記載の藻場造成用ブロック。
【請求項３】
請求項１記載の藻場造成用ブロックを、１本の脚部に複数個取付けたことを特徴とする藻場造成用ブロック。
【発明の詳細な説明】
【技術分野】
【０００１】
本発明は、海岸近くの海中に設置して、海藻の繁殖を促進する藻場造成用ブロックに関するものである。
【背景技術】
【０００２】
魚の繁殖に必要な海藻を人工的に繁殖させるために、図８に示すようにコンクリートで形成された藻場造成用ブロック１を海底の地盤２に沈めて設置し、この表面に海藻４を発生させることが行なわれている。しかしながら従来の藻場造成用ブロック１は海底２に沈めて設置してあるため、砂３の移動によりその表面が覆われて海藻４が消滅してしまう問題があった。また従来の藻場造成用ブロック１は太陽光線が届く海面から４〜５ｍの海底の地盤２に平面的に並べて設置されているので、その設置場所が限定される問題があった。
【０００３】
またブロック表面に海藻の着生を促進するために鉄を主材とする金属により基質面を形成し、これを型枠として、ここにコンクリートを流し込んで一体化した藻場造成用ブロック（例えば特許文献１）や、貝殻を主成分としてセメントで固めて表面に凹凸を形成した藻場造成用ブロック（例えば特許文献２）も開発されているが、何れも海底の地盤２に沈めて設置されているので、その表面が次第に砂３で覆われて海藻４が消滅してしまう問題があった。
【特許文献１】特開２００４−２２２５３０
【特許文献２】特開２００４−３０５０９１
【発明の開示】
【発明が解決しようとする課題】
【０００４】
本発明は上記問題を改善し、海底の砂に埋まった場合にも、脚部を伸ばすことにより常に砂から露出した状態に保持することができると共に、海底の深い場所にも設置できる、魚礁としても有効な藻場造成用ブロックを提供するものである。
【課題を解決するための手段】
【０００５】
本発明の請求項１記載の藻場造成用ブロックは、コンクリートブロックの表面に、凹凸部を形成し、前記コンクリートブロックの上面から底面に向かって貫通する３本以上の鞘パイプを、その上部がブロック上面から突出するように貫通させ、この鞘パイプの内側にパイプで形成された脚部を上下動自在に貫通させ、前記鞘パイプの上部側に脚固定部を設けて、ここにブロック底面から所定の長さに突出した状態で脚部を固定するように形成したことを特徴とするものである。
【０００６】
本発明の請求項２記載の藻場造成用ブロックは、コンクリートブロックに、その上面から底面に向かって貫通する複数個の貫通孔を開孔してブロック表面積を拡大すると共に、貫通孔に海水が流入するようにしたことを特徴とするものである。
【０００７】
本発明の請求項３記載の藻場造成用ブロックは、請求項１記載の藻場造成用ブロックを、１本の脚部に複数個取付けたことを特徴とするものである。
【発明の効果】
【０００８】
本発明に係る請求項１記載の藻場造成用ブロックによれば、海底の地盤に設置した藻場造成用ブロックの側面が砂に埋まり始めた時に、藻場造成用ブロックの脚部を下方に伸ばして砂層より高く調整して、藻場造成用ブロックを砂の上に露出させておけるので海藻の繁殖を維持することができる。また脚部の伸出作業も、藻場造成用ブロックをクレーンで海面に引き上げてできるので、作業も短時間で完了することができる。また脚部を長く伸ばせば水深の深い場所にも、藻場造成用ブロックを海面から４〜５ｍ程度に位置させることができるので、従来設置が不可能であった水深の深い場所にも設置して、栽培面積を拡大することができる。
【０００９】
また請求項２記載の藻場造成用ブロックによれば、コンクリートブロックに、貫通孔が上下に開孔されているので、海藻が生育できる面積が拡大すると共に、強い波が押し寄せてきてもこの貫通孔内に流れ込むので、藻場造成用ブロックの移動や転倒を防止することができる。
【００１０】
また請求項３記載の藻場造成用ブロックによれば、１本の脚部を共有して、複数個の藻場造成用ブロックを上下に取付けたので、海藻の生育面積を拡大することができ、また千鳥状に連結したものは安定性を向上させることができる。
【発明を実施するための最良の形態】
【００１１】
以下本発明の実施の一形態を図１ないし図５を参照して詳細に説明する。図１は藻場造成用ブロック６を示すもので、平面が略正方形状に形成されたコンクリートブロック７のコーナー近傍の４ヶ所に、その上面から底面に向かって貫通する４本の金属パイプで形成された鞘パイプ８が、その上部をブロック上面よりやや突出して貫通して取付けられている。この鞘パイプ８の中間には図３に示すようにコンクリートとの密着性を高めるため、例えばアングル材で枠状に形成された連結金具９が接合されている。
【００１２】
またコンクリートブロック７の上面と４側面には断面Ｖ形状の凹凸部１０が形成されている。更にコンクリートブロック７の中心と前記鞘パイプ８との間には、上面から底面に向かって貫通する４個の貫通孔１１が開孔されている。またこの貫通孔１１と鞘パイプ８との間には逆Ｕ字形状の吊りフック１２が突設されている。また１４は金属パイプで形成された脚部で、前記鞘パイプ８の内側に上下動自在に貫通するように挿着されている。またこの脚部１４の上部にも、下端両側が水平に突出した逆Ｕ字形状の吊りフック１５が取付けられている。
【００１３】
前記鞘パイプ８の上部には図３に示すように、固定ピン１７が貫通するピン孔１８が対向して開孔されている。更に前記脚部１４にも、その長手方向に沿って所定の間隔で複数個のピン孔１８が対向して開孔されている。この鞘パイプ８と脚部１４はステンレスパイプや鉄パイプで形成されている。
【００１４】
上記構成の藻場造成用ブロック６は、図４に示すように海面から４〜５ｍ程度に位置するようにコンクリートブロック７の底面の脚部１４の突出長さを調整して、海底の地盤２に設置する。この状態で放置しておくと海藻４の胞子がコンクリートブロック７の表面に付着して、ここで太陽から光を浴びて海藻４が生長していく。コンクリートブロック７の表面には複数の断面Ｖ形状の凹凸部１０と貫通孔１１が形成されているので、胞子が付着し易い上、表面積が拡大しているので繁殖面積を広く形成することができる。
【００１５】
このようにして藻場造成用ブロック６を海中に沈めておくと、海藻４が繁殖し、これが魚の餌になると共に、魚の棲みかとなる魚礁となって魚の繁殖に有効である。また図３に示すようにコンクリートブロック７には貫通孔１１が上下に貫通しているので、強い波が押し寄せてきてもこの貫通孔１１内に流れ込むので、脚部１４で支持されていても藻場造成用ブロック６の移動や転倒を防止することができる。
【００１６】
このように藻場造成用ブロック６を沈めた状態で長期間経過すると、場所に依っては砂３が移動してきて、藻場造成用ブロック６が砂３に埋まって、海藻４が繁殖する場所がなくなってしまうことがある。
【００１７】
このように藻場造成用ブロック６の側面が砂３に埋まり始めた時には、クレーン船で、吊りフック１２にクレーンのワイヤを掛けて藻場造成用ブロック６を海面まで吊り上げる。次に藻場造成用ブロック６の上に作業員が乗って、脚部１４の上部に取付けた吊りフック１５をクレーンで支持する。この状態で固定ピン１７を脚部１４と鞘パイプ８のピン孔１８から抜いて、クレーンで吊り上げていた脚部１４を下げて、コンクリートブロック７の底面から長く突出させていき、所定の長さの所で、ピン孔１８に固定ピン１７を差し込んで脚部１４を鞘パイプ８に固定する。このようにして４本の脚部１４を順次下方に伸ばして固定してから、図５に示すように藻場造成用ブロック６を海中に沈めて海底の地盤２に設置する。
【００１８】
従って、藻場造成用ブロック６を砂３の上に露出させておけるので海藻４の繁殖を維持することができる。また脚部１４の伸出作業も、藻場造成用ブロック６を海面に引き上げて行なえるので、ダイバーが海に潜って作業する必要がなく、作業も短時間で完了することができる。
【００１９】
また従来は藻場造成用ブロック６の設置場所は、太陽からの光が届く、海面から４〜５ｍ程度に位置するように海底の地盤２に設置しているので、設置場所が限定されていたが、図４に示すように脚部１４を長く伸ばせば水深の深い場所にも設置することができ、栽培面積を大幅に拡大することができる。
【００２０】
また鞘パイプ８と脚部１４は錆びにくいステンレスパイプを用いても良いが、鉄分は海藻４の繁殖に有効であるので、厚肉の鉄パイプで形成した方が好ましい。またコンクリートブロック７の表面に胞子を付着させたマットを取付けることにより、更に海藻４の繁殖を促進させることができる。
【００２１】
図６は本発明の他の実施の形態を示すもので、１本の脚部１４を上下のコンクリートブロック７、７の鞘パイプ８、８に貫通させて共有し、その上下２段に藻場造成用ブロック６を設置したものである。
【００２２】
図７は本発明の他の実施の形態を示すもので、藻場造成用ブロック６を上下に位置をずらせて千鳥状に配置し、中間の藻場造成用ブロック６の脚部１４と、上方の左右の藻場造成用ブロック６、６の片側の脚部１４と共有したものである。この構造では隙間なく有効に太陽光線を利用できると共に、複数の藻場造成用ブロック６が平面的に連結されているので安定性に優れ、波による移動や転倒を防止することができる。
【００２３】
なお上記説明ではコンクリートブロック７に４本の鞘パイプ８を貫通させて、ここに４本の脚部１４を上下動自在に挿着した場合について示したが、３本または５本以上取付けた構造でも良い。また脚部１４と鞘パイプ８との固定を、ピン孔１８に貫通させた固定ピン１７で行なった場合について示したが、両側からボルトで押える構造など、着脱できる固定方法であれば何れの構造でも良い。またコンクリートブロック７の表面に形成する凹凸部１０は断面Ｖ形状に限らず、表面積が拡大できれば他の形状でも良い。
【図面の簡単な説明】
【００２４】
【図１】本発明の実施の一形態による藻場造成用ブロックの斜視図である。
【図２】図１の藻場造成用ブロックを示す平面図である。
【図３】コンクリートブロックに貫通させた鞘パイプと、ここに挿着した脚部との連結部分を拡大して示す断面図である。
【図４】藻場造成用ブロックを海底の地盤に設置した状態を示す正面図である。
【図５】藻場造成用ブロックの脚部を伸出させた状態を示す正面図である。
【図６】本発明の他の実施の形態による１本の脚部に上下２段に藻場造成用ブロックを取付けた状態を示す正面図である。
【図７】本発明の異なる他の実施の形態による脚部を共有して藻場造成用ブロックを上下に千鳥状に配置して連結した状態を示す正面図である。
【図８】従来の藻場造成用ブロックを海底の地盤に設置した状態を示す正面図である。
【符号の説明】
【００２５】
１    藻場造成用ブロック                                    
２    海底の地盤                                            
３    砂                                                    
４    海藻                                                  
６    藻場造成用ブロック                                    
７    コンクリートブロック                                  
８    鞘パイプ                                              
９    連結金具                                              
１０  凹凸部                                                
１１  貫通孔                                                
１２  吊りフック                                            
１４  脚部                                                  
１５  吊りフック                                            
１７  固定ピン                                              
１８  ピン孔                                                
【図１】
2006191847.tif 000003
【図２】
2006191847.tif 000004
【図３】
2006191847.tif 000005
【図４】
2006191847.tif 000006
【図５】
2006191847.tif 000007
【図６】
2006191847.tif 000008
【図７】
2006191847.tif 000009
【図８】
2006191847.tif 000010